(57)【要約】【課題】電池収容室に挿入された電池の種類を判別する。【解決手段】電池収容室１０の側面に接点スイッチ１９を設け、上面に接点スイッチ２２を設ける。接点スイッチ２２は電池が挿入された場合にＯＮとなる。接点スイッチ１９は定常状態において内側に突出するスイッチ部１９ａを有し、挿入前にはレバー１６により突出が規制される。電池が挿入されるとレバー１６が上方に移動し、スイッチ部１９ａの突出が許容される。一次電池の場合には電池側面で突出が再び規制され、二次電池の場合には側面の凹部により突出が許容されることで一次電池と二次電池が判別される。【選択図】図５Ｂ
2007265942.tif 000002
【特許請求の範囲】
【請求項１】
電池収容室内に挿入された電池の種別を判別する電池判別装置であって、
定常状態で前記電池収容室内側に突出するように設けられた検出スイッチと、
前記検出スイッチの前記電池収容室内側への突出を抑止する第１の位置に弾性力で付勢されるとともに、前記電池収容室内への電池の挿入時に電池の側面と係合して前記弾性力に抗して前記第１の位置から前記検出スイッチの前記電池収容室内側への突出を許容する第２の位置へ移動する移動部材と、
を有し、前記移動部材が前記第２の位置に移動したときの前記検出スイッチの前記電池収容室内側への突出あるいは非突出は前記電池収容室内に挿入された電池の外観形状に応じて決定され、前記突出あるいは非突出に応じて電池の種別を判別することを特徴とする電池判別装置。
【請求項２】
請求項１記載の装置において、
前記検出スイッチは、前記移動部材が前記第２の位置に移動したときに一次電池あるいは二次電池のいずれか一方において前記電池収容室内側に突出し、他方において非突出するものであり、
前記検出スイッチの突出あるいは非突出に応じて挿入された電池が一次電池か二次電池かを判別することを特徴とする電池判別装置。
【請求項３】
請求項２記載の装置において、
前記一次電池は、側面が凹状の第１電池と側面に平面部が形成された第２電池を含み、
前記二次電池は、側面に平面部が形成されるとともに前記平面部に凹部が形成された第３電池を含み、
前記検出スイッチは、前記第１電池及び前記第２電池が前記電池収容室内に挿入された場合に非突出し、前記第３電池が前記電池収容室内に挿入された場合に突出することで挿入された電池が一次電池か二次電池かを判別することを特徴とする電池判別装置。
【請求項４】
請求項１乃至３のいずれかに記載の装置において、さらに、
前記電池収容室に電池が挿入されたことを検出する第２検出スイッチと、
を有することを特徴とする電池判別装置。
【請求項５】
電池収容室内に挿入された電池の種別を判別する電池判別装置であって、
検出スイッチと、
前記検出スイッチに対向して配置され、前記電池収容室内への電池の挿入時に電池の側面と係合して弾性力に抗して前記接点スイッチの方向に移動することで前記検出スイッチを作動させる移動部材と、
を有し、前記移動部材の移動は前記電池収容室内に挿入された電池の外観形状に応じて決定され、前記検出スイッチの作動状態に応じて電池の種別を判別することを特徴とする電池判別装置。
【請求項６】
請求項５記載の装置において、
前記検出スイッチは、前記移動部材が一次電池あるいは二次電池のいずれか一方において前記接点スイッチを作動させ、他方に応じて非作動とするものであり、
前記検出スイッチの作動あるいは非作動に応じて挿入された電池が一次電池か二次電池かを判別することを特徴とする電池判別装置。
【請求項７】
請求項１乃至６のいずれかに記載の電池判別装置を備える撮像装置。
【発明の詳細な説明】
【技術分野】
【０００１】
本発明は、電池の種類を判別する装置に関する。
【背景技術】
【０００２】
従来より、デジタルカメラ等の撮像装置その他の携帯機器において、電池収容室内に挿入された電池の種類を判別し、判別結果に応じて適切な充電制御を行う技術が知られている。
【０００３】
例えば、下記の特許文献には、一次電池と２種類の二次電池の合計３種類の電池を判別することが記載されており、電池収容部に装着された電池の形状に基づいて電池の種類を判別することが記載されている。具体的には、ニッケル−カドミウム電池またはニッケル−水素電池等の二次電池と、リチウムイオン電池はそれぞれ異なる位置に凸部が形成されており、それぞれの凸部に対応する接点スイッチのＯＮ／ＯＦＦにより一次電池と二次電池の判別、及び二次電池の種類の判別を行うことが記載されている。
【０００４】
【特許文献１】特開平９−２１９９３３号公報
【発明の開示】
【発明が解決しようとする課題】
【０００５】
このように、電池の外観と係合するスイッチを設けることで電池の種類を簡易に判別することが可能であるが、電池によっては正確に判別することが困難となる。例えば、単三型との互換性を持たせるため一次電池には単三型を２本並列に一体化したものと類似した型の電池（以下、これを「ＣＲ−Ｖ３」と称する）のように側面が平面になっているものが存在する。同じ単三電池を２本電池収容室に挿入した場合にはその側面は凹部となり、上記の文献のような接点スイッチを用いると単三電池２本挿入時には接点スイッチがＯＦＦに、ＣＲ−Ｖ３挿入時には接点スイッチがＯＮとなってしまい、同じ一次電池であるにもかかわらず異なる判別結果となってしまう。
【０００６】
本発明は、上記従来技術の有する課題に鑑みなされたものであり、より多様な種類の電池にも対応し得る電池判別装置を提供することにある。
【課題を解決するための手段】
【０００７】
本発明は、電池収容室内に挿入された電池の種別を判別する電池判別装置であって、定常状態で前記電池収容室内側に突出するように設けられた検出スイッチと、前記検出スイッチの前記電池収容室内側への突出を抑止する第１の位置に弾性力で付勢されるとともに、前記電池収容室内への電池の挿入時に電池の側面と係合して前記弾性力に抗して前記第１の位置から前記検出スイッチの前記電池収容室内側への突出を許容する第２の位置へ移動する移動部材とを有し、前記移動部材が前記第２の位置に移動したときの前記検出スイッチの前記電池収容室内側への突出あるいは非突出は前記電池収容室内に挿入された電池の外観形状に応じて決定され、前記突出あるいは非突出に応じて電池の種別を判別することを特徴とする。
【０００８】
また、本発明は、電池収容室内に挿入された電池の種別を判別する電池判別装置であって、検出スイッチと、前記検出スイッチに対向して配置され、前記電池収容室内への電池の挿入時に電池の側面と係合して弾性力に抗して前記接点スイッチの方向に移動することで前記検出スイッチを作動させる移動部材とを有し、前記移動部材の移動は前記電池収容室内に挿入された電池の外観形状に応じて決定され、前記検出スイッチの作動状態に応じて電池の種別を判別することを特徴とする。
【発明の効果】
【０００９】
本発明によれば、電池の挿入に伴って移動する移動部材と検出スイッチとの組み合わせにより簡易に電池の種類を判別することができる。
【発明を実施するための最良の形態】
【００１０】
以下、図面に基づき本発明の実施形態について説明する。
【００１１】
＜第１実施形態＞
図１に、本実施形態における電池判別装置の構成を示す。電池判別装置は、デジタルカメラの電池収容室１０近傍に配設される。電池判別装置は、大別して２つのスイッチを有する。第１スイッチは電池が電池収容室１０内に挿入されたことを検出するスイッチであり、第２スイッチは挿入された電池の種類を判別するスイッチである。
【００１２】
第１スイッチは、電池収容室１０の上面（電池挿入方向から見ると電池収容室の底面）に設けられたスイッチ基板２０と、スイッチ基板２０上に設けられた接点スイッチ２２から構成される。第２スイッチは、電池収容室１０の１つの側面に設けられたスイッチ基板１２と、前記スイッチ基板１２上に設けられた接点スイッチを含む。接点スイッチ近傍にはスプリング１８で電池挿入方向と反対方向に弾性付勢されたレバー１６と、このレバー１６の移動方向を規制するガイド１４が設けられる。ガイド１４はスイッチ基板１２から電池挿入方向に沿って（電池収容室１０の長手方向に沿って）延在し、レバー１６はこのガイド１４内をスプリング１８の弾性力に抗して移動する。
【００１３】
図２Ａ及び図２Ｂに、第１スイッチ及び第２スイッチの構成を示す。図２Ａは第１スイッチの構成であり、スイッチ基板２０上にスプリング２６で付勢支持された平板状のレバー２４を有し、レバー２４の下方、すなわちレバー２４とスイッチ基板２０との間に接点スイッチ２２が設けられる。定常状態ではレバー２４はスプリング２６の弾性力により折点スイッチ２２から離間しており、接点スイッチ２２はＯＦＦ状態となる。電池が電池収容室１０内に挿入されると、電池の底面がレバー２４に接し、レバー２４に接した状態からさらに電池を挿入すると、レバー２４はスプリング２６の弾性力に抗してスイッチ基板２０の方向に移動し、レバー２４の下面が接点スイッチ２２に接し、接点をＯＮ状態にする。これにより電池の挿入を検出する。
【００１４】
図２Ｂは第２スイッチの構成であり、接点スイッチ１９とレバー１６の形状及び接点スイッチ１９とレバー１６との係合状態を示す。接点スイッチ１９は定常状態において電池収容室１０の内側に向けて突出した揺動自在なスイッチ部１９ａを有する。また、レバー１６は平板部１６ａ、及び平板部１６ａから立設したレバー部を有し、レバー部において図１に示すスプリング１８が連結し、レバー１６を電池挿入方向とは反対方向に付勢する。平板部１６ａは接点スイッチ１９及びスイッチ部１９ａに電池収容室１０の内側から当接する。電池が挿入されていない初期状態では図２Ｂに示すようにスプリング１８の弾性力によりレバー１６の平板部１６ａがスイッチ部１９ａに当接してスイッチ部１９ａの電池収容室１０内側への突出を規制する（非突出状態）。すなわち、レバー１６がスイッチ部１９ａのカバーとなってその突出を規制する。レバー１６の平板部１６ａは、電池側面に形成された平面部と係合可能な量だけ電池収容室１０の内側に張り出しており、電池が電池収容室１０に挿入されると、レバー１６の平板部１６ａと電池側面に形成された平面部とが係合し、電池の挿入に伴ってレバー１６が図中矢印方向（電池挿入方向）にスプリング１８の弾性力に抗して移動する。レバー１６の電池挿入方向への移動により、レバー１６の平板部１６ａとスイッチ部１９ａとの位置関係が変化し、やがてレバー１６の平板部１６ａがスイッチ部１９ａから乖離する位置に達すると、スイッチ部１９ａの電池収容室１０内側への突出が許容される。本実施形態では、このような第１スイッチ及び第２スイッチの状態に応じて電池収容の有無、及び挿入された電池の種別を判別する。
【００１５】
図３Ａ〜図３Ｃに、本実施形態で判別する電池の外観を示す。本実施形態のデジタルカメラの電池収容室１０に挿入できる電池は３種類であり、図３Ａに示す単三電池１００（２本）、図３Ｂに示すＣＲ−Ｖ３型電池２００、図３Ｃに示す専用二次電池（例えばリチウムイオン電池）３００である。図３Ｂに示すＣＲ−Ｖ３型電池２００と専用二次電池３００はともに側面に平面部２００ａ、３００ａ及び端子２０２、３０２が設けられているが、専用二次電池３００には平面部３００ａにさらに凹部３０４が設けられている。第２スイッチは、平面部２００ａ、３００ａに係合して動作するとともに、凹部３０４の有無に応じてＣＲ−Ｖ３型電池２００と専用二次電池３００とを判別する。すなわち、平面部２００ａ、３００ａによりレバー１６が初期位置（接点スイッチ１９の突出規制位置）から所定位置（接点スイッチ１９の突出許容位置）まで移動するとともに、凹部３０４によりスイッチ部１９ａの突出／非突出が決定される。なお、図３Ａに示す単三電池１００の場合には側面に平面部が存在しないのでレバー１６は電池の側面と係合せず、初期位置のままとなる。
【００１６】
以下、図４Ａ、図４Ｂに示すように、接点スイッチ１９のスイッチ部１９ａが電池収容室１０の内側に突出していない状態（非突出状態）を接点スイッチ１９のＯＮ状態、スイッチ部１９ａが突出した状態を接点スイッチ１９のＯＦＦ状態として、図３Ａ〜図３Ｃに示す各電池を電池収容室１０内に挿入した場合の動作を具体的に説明する。
【００１７】
図５Ａ及び図５Ｂは、電池を挿入した場合の第１スイッチ及び第２スイッチの状態を示す。図５Ａは電池を挿入する前の初期状態であり、第１スイッチの接点スイッチ２２はレバー２４がスプリング２６により付勢されていてレバー２４が接点スイッチ２２に当接していないためＯＦＦ状態にある。また、第２スイッチの接点スイッチ１９はレバー１６が初期位置にありレバー１６の平板部１６ａがスイッチ部１９ａに当接して電池収容室１０内側への突出を規制しているためＯＮ状態にある。接点スイッチ１９及び接点スイッチ２２の検出信号はともにデジタルカメラの図示しないマイクロコンピュータに供給される。マイクロコンピュータは、接点スイッチ２２がＯＦＦ状態であるため電池は挿入されていないと判定する。
【００１８】
図５Ｂは電池を挿入した状態であり、第１スイッチのレバー２４が電池に当接し、電池に押されて接点スイッチ２２はＯＦＦ状態からＯＮ状態に遷移する。一方、第２スイッチのレバー１６はその平板部１６ａが電池収容室１０の内側に張り出すように位置しており、挿入された電池の側面に設けられた平面部に当接し、電池の挿入とともにレバー部に懸架されたスプリング１８の弾性力に抗して矢印方向に移動する。レバー１６の移動により接点スイッチ１９のスイッチ部１９ａが内側に突出し、接点スイッチ１９はＯＮ状態からＯＦＦ状態に遷移する。マイクロコンピュータは、接点スイッチ２２がＯＮ状態であるため電池が挿入されたと判定し、かつ、接点スイッチ１９がＯＮ状態からＯＦＦ状態に遷移したため特定の電池が挿入されたと判定する。電池側面に平面が形成されていない電池、例えば単三型電池１００の場合には電池側面とレバー１６とは当接せず、電池を挿入してもレバー１６は初期位置を維持するため接点スイッチ１９はＯＮ状態のままである。
【００１９】
図６Ａ及び図６Ｂに、図３Ａに示す単三電池１００を挿入した場合の第１スイッチ（接点スイッチ２２）及び第２スイッチ（接点スイッチ１９）の状態を示す。第１スイッチの接点スイッチ２２はレバー２４が電池１００により押し下げられるためＯＮ状態となる。一方、第２スイッチの接点スイッチ１９は電池１００の側面が凹部であってレバー１６が電池１００の側面と係合しないためＯＮ状態のままとなる。図５Ｂではレバー１６が初期位置から図中上方に移動しているにもかかわらず、図６Ｂではレバー１６は初期位置のまま移動していない点に留意されたい。上記のとおり接点スイッチ１９及び接点スイッチ２２からの検出信号はマイクロコンピュータに供給される。マイクロコンピュータは、接点スイッチ２２がＯＮ状態であるため何らかの電池が挿入されていると判定し、レバー１６が初期位置のまま移動せず、接点スイッチ１９がＯＮ状態のまま（ＯＮ状態からＯＦＦ状態に遷移していない）であるため単三電池１００が挿入されたと判定する。電池排出時には、接点スイッチ２２はレバー２４がスプリング２６の弾性力により初期位置に戻るためＯＦＦ状態に遷移する。また、接点スイッチ１９はレバー１６がスプリング１８の弾性力により初期位置に戻るためＯＮ状態に遷移する。
【００２０】
図７Ａ及び図７Ｂに、図３Ｂに示すＣＲ−Ｖ３型電池２００を挿入した場合の第１スイッチ（接点スイッチ２２）及び第２スイッチ（接点スイッチ１９）の状態を示す。第１スイッチの接点スイッチ２２は、レバー２４が電池２００により押し下げられるためＯＮ状態となる。一方、第２スイッチの接点スイッチ１９は、レバー１６の平板部１６ａの下縁が電池２００の側面に形成された平面部２００ａの上縁部に当接し、電池２００の挿入に伴ってレバー１６が押し上げられる。これにより、レバー１６の平板部１６ａは接点スイッチ１９の上方に位置するようになり、スイッチ部１９ａは平板部１６ａに当接せず、スイッチ部１９ａは電池収容室１０の内側に突出可能となる。但し、電池２００の平面部２００ａが平板部１６ａに代わってスイッチ部１９ａに当接するようになり、スイッチ部１９ａの突出を規制してＯＮ状態を維持する。マイクロコンピュータは、接点スイッチ２２がＯＮ状態であるため何らかの電池が挿入されていると判定し、レバー１６が初期位置から移動しており、接点スイッチ１９がＯＮ状態のままであるためＣＲ−Ｖ３型電池２００が挿入されたと判定する。電池排出時には、接点スイッチ２２はレバー２４がスプリング２６の弾性力により初期位置に戻るためＯＦＦ状態に遷移する。また、接点スイッチ１９はレバー１６がスプリング１８の弾性力により初期位置に戻るためＯＮ状態に遷移する。電池２００はスプリング１８の弾性力によって排出方向に付勢されるため排出が容易化される。
【００２１】
図８Ａ及び図８Ｂに、図３Ｃに示す専用二次電池３００を挿入した場合の第１スイッチ（接点スイッチ２２）及び第２スイッチ（接点スイッチ１９）の状態を示す。第１スイッチの接点スイッチ２２は、レバー２４が電池３００により押し下げられるためＯＮ状態となる。一方、第２スイッチの接点スイッチ１９は、レバー１６の平板部１６ａの下縁が電池３００の側面に形成された平面部３００ａの上縁部に当接し、電池３００の挿入に伴ってレバー１６が押し上げられる。これにより、レバー１６の平板部１６ａは接点スイッチ１９の上方に位置するようになり、スイッチ部１９ａは平板部１６ａに当接せず、スイッチ部１９ａは電池収容室１０の内側に突出可能となる。そして、上記のように電池２００の場合には平面部２００ａに凹部が形成されていないためスイッチ部１９ａは平面部２００ａに当接して突出が規制されるが、電池３００においては平面部３００ａに凹部３０４が形成されているため、この凹部の位置でスイッチ部１９ａは電池収容室１０の内側に突出する。これにより、接点スイッチ１９はＯＮ状態からＯＦＦ状態に遷移する。マイクロコンピュータは、接点スイッチ２２がＯＮ状態であるため何らかの電池が挿入されていると判定し、レバー１６が初期位置から移動しており、接点スイッチ１９がＯＮ状態からＯＦＦ状態に遷移しているため専用二次電池３００が挿入されたと判定する。電池排出時には、接点スイッチ２２はレバー２４がスプリング２６の弾性力により初期位置に戻るためＯＦＦ状態に遷移する。また、接点スイッチ１９はレバー１６がスプリング１８の弾性力により初期位置に戻るためＯＮ状態に遷移する。電池３００はスプリング１８の弾性力によって排出方向に付勢されるため排出が容易化される。
【００２２】
以上、３種類の電池の挿入の有無、及び電池種類の判別のアルゴリズムをまとめると以下のようになる。
（１）接点スイッチ２２がＯＦＦ状態からＯＮ状態に遷移すると電池が挿入されていると判定する。
（２）レバー１６が初期位置から移動するとＣＲ−Ｖ３型電池２００あるいは専用二次電池３００が挿入されており、レバー１６が初期位置から移動していないと単三電池１００が挿入されていると判定する。
（３）接点スイッチ１９がＯＮ状態からＯＦＦ状態に遷移すると専用二次電池３００が挿入されており、接点スイッチ１９がＯＮ状態のままであるとＣＲ−Ｖ３型電池２００が挿入されていると判定する。
【００２３】
接点スイッチ１９、２２のＯＮ／ＯＦＦ、レバー１６の静止／移動と電池の種別との関係は以下のとおりである。
【表１】
2007265942.tif 000003
【００２４】
このように、本実施形態では、３種類の電池の外観形状、具体的には側面に平面部が形成されているか否か、及び平面部が形成されている場合にさらにその平面部内に凹部が形成されているか否かをメカ機構により検出することで電池の種類を確実に判別できる。
【００２５】
なお、電池の判別は主に挿入された電池が一次電池か二次電池かを判別して、二次電池の場合には外部電源からの電力により充電する場合に必要となる。このためには、単に一次電池か二次電池かを判別すればよく、一次電池が単三電池１００であるかＣＲ−Ｖ３型電池２００であるかを判別する必要がない。本実施形態では、表１からも分かるように、単三電池１００及びＣＲ−Ｖ３型電池２００の場合には接点スイッチ１９はＯＮ状態を維持し、専用二次電池３００の場合に接点スイッチ１９はＯＮ状態からＯＦＦ状態に遷移する。したがって、マイクロコンピュータは、接点スイッチ２２及び接点スイッチ１９からの検出信号に基づき、電池の挿入の有無、及び挿入された電池が一次電池か二次電池かを判別することができる。具体的には、接点スイッチ２２がＯＮ状態に遷移し、かつ、接点スイッチ１９がＯＮ状態からＯＦＦ状態に遷移した場合に、マイクロコンピュータは専用二次電池が挿入されたと判定してデジタルカメラの充電回路を作動させて外部電源からの電力により専用二次電池３００を充電する。あるいはデジタルカメラがドックにセットされている場合、マイクロコンピュータはドック側のマイクロコンピュータに専用二次電池３００が挿入されている旨のコマンドを送信し、ドック側のマイクロコンピュータが充電回路の動作を制御して専用二次電池３００の充電を実行してもよい。
【００２６】
また、接点スイッチ１９は専用二次電池３００が挿入されない限りレバー１６によってＯＮ状態に維持されるため、マイクロコンピュータは単に接点スイッチ１９からの検出信号のみに応じて専用二次電池３００が挿入されたか否かを判定してもよい。充電制御するか否かを判定する際には、マイクロコンピュータは接点スイッチ１９からの検出信号のみに応じて判定すればよく、接点スイッチ２２は必要ない。
【００２７】
さらに、一次電池と二次電池とを判別することを目的とした場合、第２スイッチの構成としては上記のような接点スイッチ１９及びレバー１６の組み合わせではなく、専用二次電池３００の平面部３００ａに形成された凹部３０４と係合して接点がＯＮあるいはＯＦＦする任意の構成を用いることができる。
【００２８】
＜第２実施形態＞
図９Ａ〜図９Ｃに、本実施形態における第２スイッチの他の構成を示す。図９Ａは電池が挿入されていない初期状態である。第２スイッチは、接点スイッチ５０及びレバー５２から構成される。接点スイッチ５０は電池収容室１０の側面に配設され、接点スイッチ５０と対向する位置にレバー５２が設けられる。レバー５２は接点スイッチ５０の方向に移動自在に支持され、かつ、スプリング等の弾性部材で接点スイッチ５０から離間する方向に付勢支持される。レバー５２はテーパ面が形成され、電池が挿入されるとレバー５２のテーパ面が電池の側面に当接する。電池挿入の有無を検出する接点スイッチ２２は図１と同様である。初期状態において、接点スイッチ２２及び接点スイッチ５０はともにＯＦＦ状態である。
【００２９】
図９Ｂに、ＣＲ−Ｖ３型電池２００を挿入した場合の第１スイッチ（接点スイッチ２２）及び第２スイッチ（接点スイッチ５０）の状態を示す。電池２００が挿入されると接点スイッチ２２がＯＮ状態になる。一方、接点スイッチ５０は、レバー５２が電池２００の側面に形成された平面部２００ａに当接し、弾性力に抗して接点スイッチ５０の方向に移動して接点をＯＮするためＯＦＦ状態からＯＮ状態に遷移する。
【００３０】
図９Ｃに、専用二次電池３００を挿入した場合の第１スイッチ（接点スイッチ２２）及び第２スイッチ（接点スイッチ５０）の状態を示す。電池３００が挿入されると接点スイッチ２２はＯＮ状態になる。一方、接点スイッチ５０は、レバー５２が電池３００の側面に形成された平面部３００ａに当接し、弾性力に抗して接点スイッチ５０の方向に移動して接点をＯＮするが、やがて平面部３００ａに形成された凹部３０４の位置に達すると弾性力により元の位置に復帰し、接点を再びＯＦＦする。したがって、接点スイッチ５０はＯＦＦ状態からＯＮ状態を経て再びＯＦＦ状態となる。マイクロコンピュータは、接点スイッチ２２からの検出信号により電池挿入の有無を判定するとともに、接点スイッチ５０がＯＮ状態の場合には一次電池が挿入され、ＯＦＦ状態の場合には二次電池が挿入されたと判定する。
【００３１】
接点スイッチ５０、２２のＯＮ／ＯＦＦと電池の種別との関係は以下のとおりである。
【表２】
2007265942.tif 000004
【００３２】
表２において、単三型電池１００と専用二次電池３００ではＯＮ／ＯＦＦ状態が同一であるが、専用二次電池３００の場合にはＯＦＦ状態からＯＮ状態に遷移した後にＯＦＦ状態となるので、この状態遷移を検出することで両者の判別が可能である。もちろん、レバー５２の移動の有無を検出して判別してもよい。
【図面の簡単な説明】
【００３３】
【図１】実施形態におけるデジタルカメラの電池収容室の斜視図である。
【図２Ａ】図１における第１スイッチの構成図である。
【図２Ｂ】図１における第２スイッチの構成図である。
【図３Ａ】単三電池の斜視図である。
【図３Ｂ】ＣＲ−Ｖ３型電池の斜視図である。
【図３Ｃ】専用二次電池の斜視図である。
【図４Ａ】第２スイッチのＯＮ状態説明図である。
【図４Ｂ】第２スイッチのＯＦＦ状態説明図である。
【図５Ａ】電池挿入前の初期状態におけるスイッチ状態説明図である。
【図５Ｂ】電池挿入時のスイッチ状態説明図である。
【図６Ａ】単三電池挿入時の斜視図である。
【図６Ｂ】単三電池挿入時のスイッチ状態説明図である。
【図７Ａ】ＣＲ−Ｖ３型電池挿入時の斜視図である。
【図７Ｂ】ＣＲ−Ｖ３型電池挿入時のスイッチ状態説明図である。
【図８Ａ】専用二次電池挿入時の斜視図である。
【図８Ｂ】専用二次電池挿入時のスイッチ状態説明図である。
【図９Ａ】他の実施形態における電池挿入前の初期状態におけるスイッチ状態説明図である。
【図９Ｂ】他の実施形態におけるＣＲ−Ｖ３型電池挿入時のスイッチ状態説明図である。
【図９Ｃ】他の実施形態における専用二次電池挿入時のスイッチ状態説明図である。
【符号の説明】
【００３４】
１０  電池収容室、１２  スイッチ基板、１４  ガイド、１６  レバー、１８  スプリング、１９  接点スイッチ、２０  スイッチ基板、２２  接点スイッチ、２４  レバー、２６  スプリング、１００  単三電池、２００  ＣＲ−Ｖ３型電池、３００  専用二次電池。
【図１】
2007265942.tif 000005
【図２Ａ】
2007265942.tif 000006
【図２Ｂ】
2007265942.tif 000007
【図３Ａ】
2007265942.tif 000008
【図３Ｂ】
2007265942.tif 000009
【図３Ｃ】
2007265942.tif 000010
【図４Ａ】
2007265942.tif 000011
【図４Ｂ】
2007265942.tif 000012
【図５Ａ】
2007265942.tif 000013
【図５Ｂ】
2007265942.tif 000014
【図６Ａ】
2007265942.tif 000015
【図６Ｂ】
2007265942.tif 000016
【図７Ａ】
2007265942.tif 000017
【図７Ｂ】
2007265942.tif 000018
【図８Ａ】
2007265942.tif 000019
【図８Ｂ】
2007265942.tif 000020
【図９Ａ】
2007265942.tif 000021
【図９Ｂ】
2007265942.tif 000022
【図９Ｃ】
2007265942.tif 000023